(57)【要約】  本発明は、システム情報の有効性の指示方法、ネットワーク装置、端末装置およびコンピュータ記憶媒体を開示し、前記方法は、少なくとも１つのシステム情報ブロック（ＳＩＢ）に対する有効性の指示を構成することと、再取得する必要のあるＳＩＢに対応する有効性の指示を端末装置に送信することとを含む。
2021500759.tif 000002
【特許請求の範囲】
【請求項１】
ネットワーク装置に適用されるシステム情報の有効性の指示方法であって、
少なくとも１つのシステム情報ブロック（ＳＩＢ）に対する有効性の指示を構成することと、
再取得する必要のあるＳＩＢに対応する有効性の指示を端末装置に送信することとを含む、前記システム情報の有効性の指示方法。
【請求項２】
前記再取得する必要のあるＳＩＢに対応する有効性の指示を端末装置に送信することは、
再取得されたＳＩＢに対応する有効性の指示を最小システム情報（ＭＳＩ）に集中的または分散的に配置して、端末装置に送信することをさらに含む、
請求項１に記載のシステム情報の有効性の指示方法。
【請求項３】
前記システム情報の有効性の指示方法は、
再取得されたＳＩＢに対応する有効性の指示を前記ＭＳＩ中のＳＩＢ１に集中的配置することをさらに含む、
請求項２に記載のシステム情報の有効性の指示方法。
【請求項４】
前記少なくとも１つのＳＩＢに対する有効性の指示を構成することは、
ＳＩＢ１を除く少なくとも１つの他のＳＩＢ中の各ＳＩＢに対応する１つの有効性の指示をそれぞれ構成することをさらに含む、
請求項１ないし３のいずれか一項に記載のシステム情報の有効性の指示方法。
【請求項５】
前記少なくとも１つのＳＩＢに対する有効性の指示を構成することは、
前記ＳＩＢ１を除く少なくとも１つの他のＳＩＢから少なくとも一部のＳＩＢを選択することと、
前記少なくとも一部のＳＩＢのために、同じ有効性の指示を構成することとをさらに含む
請求項１ないし３のいずれか一項に記載のシステム情報の有効性の指示方法。
【請求項６】
前記ＳＩＢ１を除く少なくとも１つの他のＳＩＢから少なくとも一部のＳＩＢを選択することは、
前記ＳＩＢ１を除く少なくとも１つの他のＳＩＢから同じシステムメッセージに配置される少なくとも一部のＳＩＢを選択することを含む、
請求項５に記載のシステム情報の有効性の指示方法。
【請求項７】
前記ＳＩＢ１を除く少なくとも１つの他のＳＩＢから少なくとも一部のＳＩＢを選択することは、
前記ＳＩＢ１を除く少なくとも１つの他のＳＩＢから、同じ機能および／または同じサービスタイプを有する少なくとも一部のＳＩＢを選択することを含む、
請求項５に記載のシステム情報の有効性の指示方法。
【請求項８】
前記システム情報の有効性の指示方法は、
すべてのＳＩＢに対して構成する有効性の指示を端末装置に送信することをさらに含む、
請求項１に記載のシステム情報の有効性の指示方法。
【請求項９】
端末装置に適用されるシステム情報の有効性の指示方法であって、
ネットワーク側によって送信される再取得する必要のあるＳＩＢに対する有効性の指示を検出することであって、前記有効性の指示は、少なくとも１つのＳＩＢに対するものであることと、
前記有効性の指示に基づいて、対応するＳＩＢを再取得することとを含む、前記システム情報の有効性の指示方法。
【請求項１０】
前記システム情報の有効性の指示方法は、
ネットワーク側から送信されたすべてのＳＩＢに対して構成する、対応する有効性の指示を取得することをさらに含む、
請求項９に記載のシステム情報の有効性の指示方法。
【請求項１１】
前記システム情報の有効性の指示方法は、
ＭＳＩから、再取得する必要のあるＳＩＢに対する有効性の指示を検出することをさらに含む、
請求項９に記載のシステム情報の有効性の指示方法。
【請求項１２】
ネットワーク装置であって、
少なくとも１つのＳＩＢに対する有効性の指示を構成するための第１の処理ユニットと、
再取得する必要のあるＳＩＢに対応する有効性の指示を端末装置に送信するための通信ユニットとを含む、前記ネットワーク装置。
【請求項１３】
前記第１の処理ユニットは、再取得されたＳＩＢに対応する有効性の指示をＭＳＩに集中的または分散的に配置するためである、
請求項１３に記載のネットワーク装置。
【請求項１４】
前記第１の処理ユニットは、再取得されたＳＩＢに対応する有効性の指示を前記ＭＳＩ中のＳＩＢ１に集中的配置するためである、
請求項１３に記載のネットワーク装置。
【請求項１５】
前記第１の処理ユニットは、ＳＩＢ１を除く少なくとも１つの他のＳＩＢ中の各ＳＩＢに対応する１つの有効性の指示をそれぞれ構成するためである、
請求項１２ないし１４のいずれか一項に記載のネットワーク装置。
【請求項１６】
前記第１の処理ユニットは、前記ＳＩＢ１を除く少なくとも１つの他のＳＩＢから少なくとも一部のＳＩＢを選択し、
前記少なくとも一部のＳＩＢのために、同じ有効性の指示を構成するためである、
請求項１２ないし１４のいずれか一項に記載のネットワーク装置。
【請求項１７】
前記第１の処理ユニットは、前記ＳＩＢ１を除く少なくとも１つの他のＳＩＢから同じシステムメッセージに配置される少なくとも一部のＳＩＢを選択するためである、
請求項１６に記載のネットワーク装置。
【請求項１８】
前記第１の処理ユニットは、前記ＳＩＢ１を除く少なくとも１つの他のＳＩＢから、同じ機能および／または同じサービスタイプを有する少なくとも一部のＳＩＢを選択するためである、
請求項１６に記載のネットワーク装置。
【請求項１９】
前記第１の処理ユニットは、すべてのＳＩＢに対して構成する有効性の指示を、通信ユニットを介して端末装置に送信するためである、
請求項１２に記載のネットワーク装置。
【請求項２０】
端末装置であって、
ネットワーク側によって送信される再取得する必要のあるＳＩＢに対する有効性の指示を検出するための検出ユニットであって、前記有効性の指示は、少なくとも１つのＳＩＢに対するものである検出ユニットと、
前記有効性の指示に基づいて、対応するＳＩＢを再取得するための第２の処理ユニットとを含む、前記端末装置。
【請求項２１】
前記検出ユニットは、ネットワーク側から送信されたすべてのＳＩＢに対して構成する、対応する有効性の指示を取得するためである、
請求項２０に記載の端末装置。
【請求項２２】
前記検出ユニットは、ＭＳＩから、再取得する必要のあるＳＩＢに対する有効性の指示を検出するためである、
請求項２１に記載の端末装置。
【請求項２３】
プロセッサと、プロセッサ上で実行可能なコンピュータプログラムを記憶するためのメモリとを含むネットワーク装置であって、
前記プロセッサは、前記コンピュータプログラムを実行するときに、請求項１ないし８のいずれか一項に記載のシステム情報の有効性の指示方法のステップを実行するために使用される、前記ネットワーク装置。
【請求項２４】
プロセッサと、プロセッサ上で実行可能なコンピュータプログラムを記憶するためのメモリとを含む端末装置であって、
前記プロセッサは、前記コンピュータプログラムを実行するときに、請求項９ないし１１のいずれか一項に記載のシステム情報の有効性の指示方法のステップを実行するために使用される、前記端末装置。
【請求項２５】
コンピュータ記憶媒体であって、
実行されるときに、請求項１ないし１１のいずれか一項に記載のシステム情報の有効性の指示方法のステップを具現するコンピュータ実行可能な命令が記憶される、前記コンピュータ記憶媒体。
【発明の詳細な説明】
【技術分野】
【０００１】
本発明は、情報処理の技術分野に関し、特に、システム情報の有効性の指示方法、ネットワーク装置、端末装置およびコンピュータ記憶媒体に関する。
【背景技術】
【０００２】
既存の５Ｇ  ＮＲ（Ｎｅｗ  Ｒａｄｉｏ）システムにおいて、システム情報には、最小システム情報（Ｍｉｎｉｍｕｍ  ＳＩ）および他のシステム情報（Ｏｔｈｅｒ  ＳＩ）が含まれる。ここで、Ｍｉｎｉｍｕｍ  ＳＩは、デフォルトのブロードキャストモード（Ｄｅｆａｕｌｔ  ｂｒｏａｄｃａｓｔ  ｍｏｄｅ）の方法を採用し、ＳＳ  ｂｌｏｃｋに含まれ、各ビーム（ｂｅａｍ）にはいずれも１つが含まれる。Ｏｔｈｅｒ  ＳＩは、オンデマンドブロードキャスト（Ｏｎ−ｄｅｍａｎｄ  ｂｒｏａｄｃａｓｔ）またはユニキャスト（Ｕｎｉｃａｓｔ）の方法、即ち、ＲＲＣ（Ｒａｄｉｏ  Ｒｅｓｏｕｒｃｅ  Ｃｏｎｔｒｏｌ）固有のシグナリング伝送を採用する。Ｏｔｈｅｒ  ＳＩには、複数の独立したＳＩＢが含まれる場合があり、各独立したＳＩＢはブロードキャストすることができるが、そうではない場合もあり、各ＳＩＢの値も独立して変更することができる。ＬＴＥのシステム情報のブロードキャストメカニズムは、プライマリ同期信号ＰＳＳおよびセカンダリ同期ＳＳＳでダウンリンク同期信号を取得した後、端末が特定の時間周波数リソースでＭＩＢおよびＳＩＢ１情報をモニタリングした後、ＳＩＢ１から他のＳＩＢのスケジューリング情報を取得する。ただし、既存のＬＴＥシステム情報メカニズムは、ＮＲシステムがオンデマンドでシステム情報ブロックを柔軟に取得するメカニズムに適応することができない。
【発明の概要】
【発明が解決しようとする課題】
【０００３】
上記の技術的課題を解決するために、本発明の実施例は、システム情報の有効性の指示方法、ネットワーク装置、端末装置およびコンピュータ記憶媒体を提供する。
【課題を解決するための手段】
【０００４】
本発明の実施例によって提供されるネットワーク装置に適用されるシステム情報の有効性の指示方法は、
少なくとも１つのシステム情報ブロック（ＳＩＢ）に対する有効性の指示を構成することと、
再取得する必要のあるＳＩＢに対応する有効性の指示を端末装置に送信することとを含む。
【０００５】
本発明の実施例によって提供される端末装置に適用されるシステム情報の有効性の指示方法は、
ネットワーク側によって送信される再取得する必要のあるＳＩＢに対する有効性の指示を検出することであって、前記有効性の指示は、少なくとも１つのＳＩＢに対するものであることと、
前記有効性の指示に基づいて、対応するＳＩＢを再取得することとを含む。
【０００６】
本発明の実施例によって提供されるネットワーク装置は、
少なくとも１つのＳＩＢに対する有効性の指示を構成するための第１の処理ユニットと、
再取得する必要のあるＳＩＢに対応する有効性の指示を端末装置に送信するための通信ユニットとを含む。
【０００７】
本発明の実施例によって提供される端末装置は、
ネットワーク側によって送信される再取得する必要のあるＳＩＢに対する有効性の指示を検出するための検出ユニットであって、前記有効性の指示は、少なくとも１つのＳＩＢに対するものである、検出ユニットと、
前記有効性の指示に基づいて、対応するＳＩＢを再取得するための第２の処理ユニットとを含む。
【０００８】
本発明の実施例によって提供されるネットワーク装置は、プロセッサと、プロセッサ上で実行可能なコンピュータプログラムを記憶するためのメモリとを含み、
ここで、前記プロセッサは、前記コンピュータプログラムを実行するときに、前述の方法のステップを実行するために使用される。
【０００９】
本発明の実施例によって提供される端末装置は、プロセッサと、プロセッサ上で実行可能なコンピュータプログラムを記憶するためのメモリとを含み、
ここで、前記プロセッサは、前記コンピュータプログラムを実行するときに、前述の方法のステップを実行するために使用される。
【００１０】
本発明の実施例によって提供されるコンピュータ記憶媒体は、コンピュータ実行可能な命令が記憶され、前記コンピュータ実行可能な命令が実行されるときに、前述の方法のステップを具現する。
【発明の効果】
【００１１】
本発明の実施例の技術的解決策は、少なくとも１つのシステム情報ブロックに対する有効性の指示を構成することができ、それにより、システムが、１つの有効性の指示が複数のシステム情報ブロックを指示することができるシナリオをサポートすることができるようにして、さらに、オンデマンドでＳＩＢを取得する柔軟なシステムメカニズムに適応することができる。
【図面の簡単な説明】
【００１２】
【図１】本発明の実施例によって提供されるシステム情報の有効性の指示方法のプロセスの模式図１である。
【図２】本発明の実施例の有効性の指示を構成する模式図１である。
【図３】本発明の実施例の有効性の指示を構成する模式図２である。
【図４】本発明の実施例の有効性の指示を構成する模式図３である。
【図５】本発明の実施例によって提供されるシステム情報の有効性の指示方法のプロセスの模式図２である。
【図６】本発明の実施例ネットワーク装置の構造の模式図である。
【図７】本発明の実施例の端末装置の構造の模式図である。
【図８】本発明の実施例のハードウェアアーキテクチャの模式図である。
【発明を実施するための形態】
【００１３】
本発明の実施例の特徴および技術内容をより詳細に理解するために、以下、図面を参照して本発明の実施例の具現を詳細に説明し、添付の図面は、例示のみを目的として、本発明の実施例を限定することを意図するものではない。
【００１４】
実施例１
本発明の実施例は、ネットワーク装置に適用されるシステム情報の有効性の指示方法を提供し、図１に示されたように、以下を含む。
【００１５】
ステップ１０１：少なくとも１つのＳＩＢに対する有効性の指示を構成する。
【００１６】
ステップ１０２：再取得する必要のあるＳＩＢに対応する有効性の指示を端末装置に送信する。
【００１７】
ここで、本実施例の前記ネットワーク装置は、ネットワーク側の基地局、例えば、ｅＮＢまたはｇＮＢであり得、前述のステップを採用することにより、基地局は、１つの有効指示による１つのまたは複数のシステム情報ブロックを構成し得、それにより、端末が、対応する有効性の指示の変化を検出して、１つのシステム情報ブロックを再取得する必要があるかどうかを決定することができる。ここで、これらのシステム情報ブロックは、同じまたは異なるシステム情報メッセージに位置することができる。
【００１８】
前記少なくとも１つのシステム情報ブロックに対する有効性の指示を構成することは、具体的には、１つのまたは複数のシステム情報ブロックに対して全て１つの有効性の指示を構成することであってもよく、言い換えれば、同じ有効性の指示が少なくとも１つのＳＩＢに対応することができる。合計８つのＳＩＢがあると仮定すると、各ＳＩＢに１つの有効性の指示情報をすべて設定されたり、またはその中の７つまたはその以下のＳＩＢに１つの有効性の指示をすべて設定することができ、そして、その中の一部のＳＩＢは、同じ有効性の指示を使用することができる。
【００１９】
さらに、このような有効性の指示の具体的な実施形態は、１〜１６または１〜３２などの有限的な正の整数のセットであることができる。
【００２０】
この値が変更されたことを有効性が指示する場合、システム情報ブロックが無効になり、端末が再取得する必要があることを意味する。言い換えれば、あるＳＩＢがもはや有効でない場合、ネットワーク側では、システムメッセージで有効性の指示を送信することにより、端末装置が対応するＳＩＢを再取得する必要があるかどうかを知ることができる。
【００２１】
本実施例は、すべてのＳＩＢに対して構成する有効性の指示を端末装置に送信することをさらに含むことが理解され得る。端末装置とネットワーク側が同じＳＩＢに対応する有効性の指示を維持するようにしたため、有効性の指示を読み取ることにより、対応するＳＩＢが失効したかどうかを知ることができる。
【００２２】
本実施例における有効性の指示の配置位置については、以下の通りである。再取得されたＳＩＢに対応する有効性の指示を最小システム情報（ＭＳＩ）に集中的または分散的に配置して、端末装置に送信することにより、対応するＳＩＢを再取得することを端末装置に指示する。
【００２３】
即ち、複数のシステム情報の有効性の指示を集中的にＭＳＩに配置することができる（ＭＳＩは、ＭＩＢおよび残りのＭＳＩ（Ｒｅｍａｉｎｉｎｇ  ＭＳＩ）を含む）。
【００２４】
具体的には、再取得されたＳＩＢに対応する有効性の指示を前記ＭＳＩ中のＳＩＢ１に集中的に配置する。例えば、ＲＭＳＩは、ＳＩＢ１またはＳＩＢ２を含むことができるが、有効性の指示は、ＳＩＢ１にある可能性がある）。もちろん、異なるシステム情報ブロックに分散的に配置することもできるが、優先的には、複数のシステム情報ブロックの有効性の指示を集中的にＳＩＢ１に配置することができ、このようにして、ＵＥがＭＳＩを取得することにより、あるＳＩＢの値を再取得する必要があるかどうかを知ることができる。
【００２５】
さらに、少なくとも１つのＳＩＢに対する有効性の指示を構成することは、次のいくつかの対応する方法も含まれる。
【００２６】
対応する方法１：ＳＩＢ１を除く少なくとも１つの他のＳＩＢ中の各ＳＩＢに対応する有効性の指示をそれぞれ構成する。
【００２７】
言い換えれば、単一のＯｔｈｅｒ  ＳＩにおけるＳＩＢに対してそのｓｙｓｔｅｍ  ｖａｌｕｅ  ｔａｇ値を個別に定義する。この方法は最も柔軟であるが、ＲＭＳＩ／ＳＩＢ１を増加させることを一例として説明すると、Ｓｙｓｔｅｍ  Ｖａｌｕｅ  Ｔａｇ値は５ビットを占有する必要があり、そうなると、８つのＯｔｈｅｒ  ＳＩは４０ビットを占有する必要がある。もちろん、ＮＲシステムの容量は、ＬＴＥシステムより大きいため、ＳＩＢ１では４０ビットが許容されるかも知れない。ただし、Ｏｔｈｅｒ  ＳＩ  ＳＩＢがもっと多ければ、より多いビットを占有する可能性がある。したがって、他のこのような方案を考慮する必要がある。図２を参照すると、図には、１つの有効性の指示が１つのＳＩＢに対応するシナリオが示される。
【００２８】
対応する方法２：前記ＳＩＢ１を除く少なくとも１つの他のＳＩＢから少なくとも一部のＳＩＢを選択し、前記少なくとも一部のＳＩＢのために、同じ有効性の指示を構成する。
【００２９】
ここで、前記ＳＩＢ１を除く少なくとも１つの他のＳＩＢから少なくとも一部のＳＩＢを選択することは、
前記ＳＩＢ１を除く少なくとも１つの他のＳＩＢから同じシステムメッセージに配置される少なくとも一部のＳＩＢを選択することを含む。
【００３０】
または、前記ＳＩＢ１を除く少なくとも１つの他のＳＩＢから、同じ機能および／または同じサービスタイプを有する少なくとも一部のＳＩＢを選択することであり得る。
【００３１】
有効性の指示の一部は共用（ｓｈａｒｉｎｇ）である。単一のＳＩＢを使用することにより、独立した有効性の指示がＳＩＢ１の容量を大幅に増加させると考えられる場合、柔軟な部分を採用して共用とすることができ、一部の共用は、複数のＳＩＢが１つのＳＩ  ｍｅｓｓａｇｅに配置されるかどうかに基づくことができる。即ち、同じＳＩ  ｍｅｓｓａｇｅに属するＳＩＢｓは同じ有効性の指示を共用することができ、例えば、図３を参照すると、ＳＩＢｘおよびＳＩＢｙの両方ともＳＩ  ｍｅｓｓａｇｅ１に属することができ、ＳＩＢｚはＳＩ  ｍｅｓｓａｇｅ  ２に属し、そうすると、ＳＩＢｘおよびＳＩＢｙは、同じ有効性の指示１を配置し、残りのＳＩＢｚは有効性の指示２を割り当てるようにすることができる。
【００３２】
もちろん、一部の共用は、システム情報の関連性など、他の基準を採用することができ、一例として、図４に示されたように、ＳＩＢｘおよびＳＩＢｚが、同じサービスに対して同様にすべて必要としたり、または同じ機能に対して関連性を持つ場合、図に示されたような有効性の指示１など、共用の有効性の指示を使用することができ、ＳＩＢｙは有効性の指示２を使用することができる。例えば、ＭＢＭＳに関連する異なるシステム情報ブロック、Ｄ２Ｄ  ｄｉｓｃｏｖｅｒｙおよびＤ２Ｄ  ｃｏｍｍｕｎｉｃａｔｉｏｎに関連するシステム情報ブロックは、すべて同じ有効性の指示を共用することができる。もちろん、共用有効性の指示の結果として、その中のいずれか１つのＳＩＢの変更がすべて有効性の指示の変更を引き起こすことである。
【００３３】
前述の方案を採用することにより、少なくとも１つのシステム情報ブロックに対する有効性の指示を構成することができ、それにより、システムが、１つの有効性の指示が複数のシステム情報ブロックを指示することができるシナリオをサポートすることができるようにして、さらに、オンデマンドでＳＩＢを取得する柔軟なシステムメカニズムに適応することができる。
【００３４】
実施例２
本発明の実施例は、端末装置に適用されるシステム情報の有効性の指示方法を提供し、図５に示されたように、以下を含む。
【００３５】
ステップ５０１：ネットワーク側によって送信される再取得する必要のあるＳＩＢに対する有効性の指示を検出し、ここで、前記有効性の指示は、少なくとも１つのＳＩＢに対するものである。
【００３６】
ステップ５０２：前記有効性の指示に基づいて、対応するＳＩＢを再取得する。
【００３７】
ここで、本実施例における前記ネットワーク装置は、ネットワーク側の基地局、例えば、ｅＮＢまたはｇＮＢであり得、前述のステップを採用することにより、基地局は、１つの有効指示による１つのまたは複数のシステム情報ブロックを構成し得、それにより、端末が、対応する有効性の指示の変化を検出して、１つのシステム情報ブロックを再取得する必要があるかどうかを決定することができる。ここで、これらのシステム情報ブロックは、同じまたは異なるシステム情報メッセージに位置することができる。
【００３８】
前記少なくとも１つのシステム情報ブロックに対する有効性の指示を構成することは、具体的には、１つのまたは複数のシステム情報ブロックに対してすべて１つの有効性の指示を構成することであってもよく、言い換えれば、同じ有効性の指示が少なくとも１つのＳＩＢに対応することができる。合計８つのＳＩＢがあると仮定すると、各ＳＩＢに１つの有効性の指示情報をすべて設定されたり、またはその中の７つまたはその以下のＳＩＢに１つの有効性の指示をすべて設定することができ、そして、その中の一部のＳＩＢは、同じ有効性の指示を使用することができる。
【００３９】
さらに、このような有効性の指示の具体的な実施形態は、１〜１６または１〜３２などの有限的な正の整数のセットであることができる。
【００４０】
この値が変更されたことを有効性が指示する場合、システム情報ブロックが無効になり、端末が再取得する必要があることを意味する。言い換えれば、あるＳＩＢがもはや有効でない場合、ネットワーク側では、システムメッセージで有効性の指示を送信することにより、端末装置が対応するＳＩＢを再取得する必要があるかどうかを知ることができる。
【００４１】
可以理解的是、本実施例は、すべてのＳＩＢに対して構成する有効性の指示を端末装置に送信することをさらに含むことが理解され得る。対応的に、端末装置は、ネットワーク側から送信されたすべてのＳＩＢに対して構成する、対応する有効性の指示を取得する。だから、端末装置とネットワーク側が同じＳＩＢに対応する有効性の指示を維持するようにしたため、有効性の指示を読み取ることにより、対応するＳＩＢが失効したかどうかを知ることができる。
【００４２】
本実施例における有効性の指示の配置位置については、以下の通りである。再取得されたＳＩＢに対応する有効性の指示をＭＳＩに集中的または分散的に配置して、端末装置に送信することにより、対応するＳＩＢを再取得することを端末装置に指示する。対応的に、端末装置は、ＭＳＩから、再取得する必要のあるＳＩＢに対する有効性の指示を検出する。
【００４３】
即ち、複数のシステム情報の有効性の指示を集中的にＭＳＩに配置することができる（ＭＳＩは、ＭＩＢおよび残りのＭＳＩ（ＲＭＳＩ）を含む）。
【００４４】
具体的には、再取得されたＳＩＢに対応する有効性の指示を前記ＭＳＩ中のＳＩＢ１に集中的に配置する。例えば、ＲＭＳＩは、ＳＩＢ１またはＳＩＢ２を含むことができるが、有効性の指示は、ＳＩＢ１にある可能性がある。もちろん、異なるシステム情報ブロックに分散的に配置することもできるが、優先的には、複数のシステム情報ブロックの有効性の指示を集中的にＳＩＢ１に配置することができ、このようにして、ＵＥがＭＳＩを取得することにより、あるＳＩＢの値を再取得する必要があるかどうかを知ることができる。
【００４５】
さらに、少なくとも１つのＳＩＢに対する有効性の指示を構成することは、次のいくつかの対応する方法も含まれる。
【００４６】
対応する方法１：ＳＩＢ１を除く少なくとも１つの他のＳＩＢ中の各ＳＩＢに対応する有効性の指示をそれぞれ構成する。
【００４７】
言い換えれば、単一のＯｔｈｅｒ  ＳＩにおけるＳＩＢに対してそのｓｙｓｔｅｍ  ｖａｌｕｅ  ｔａｇ値を個別に定義する。この方法は最も柔軟であるが、ＲＭＳＩ／ＳＩＢ１を増加させることを一例として説明すると、Ｓｙｓｔｅｍ  Ｖａｌｕｅ  Ｔａｇ値は５ビットを占有する必要があり、そうなると、８つのＯｔｈｅｒ  ＳＩは４０ビットを占有する必要がある。もちろん、ＮＲシステムの容量は、ＬＴＥシステムより大きいため、ＳＩＢ１では４０ビットが許容されるかも知れない。ただし、Ｏｔｈｅｒ  ＳＩ  ＳＩＢがもっと多ければ、より多いビットを占有する可能性がある。したがって、他のこのような方案を考慮する必要がある。図２を参照すると、図には、１つの有効性の指示が１つのＳＩＢに対応するシナリオが示される。
【００４８】
対応する方法２：前記ＳＩＢ１を除く少なくとも１つの他のＳＩＢから少なくとも一部のＳＩＢを選択し、前記少なくとも一部のＳＩＢのために、同じ有効性の指示を構成する。
【００４９】
ここで、前記ＳＩＢ１を除く少なくとも１つの他のＳＩＢから少なくとも一部のＳＩＢを選択することは、
前記ＳＩＢ１を除く少なくとも１つの他のＳＩＢから同じシステムメッセージに配置される少なくとも一部のＳＩＢを選択することを含む。
【００５０】
または、前記ＳＩＢ１を除く少なくとも１つの他のＳＩＢから、同じ機能および／または同じサービスタイプを有する少なくとも一部のＳＩＢを選択することであり得る。
【００５１】
有効性の指示の一部は共用である。単一のＳＩＢを使用することにより、独立した有効性の指示がＳＩＢ１の容量を大幅に増加させると考えられる場合、柔軟な部分を採用して共用とすることができ、一部の共用は、複数のＳＩＢが１つのＳＩ  ｍｅｓｓａｇｅに配置されるかどうかに基づくことができ、即ち、同じＳＩ  ｍｅｓｓａｇｅに属するＳＩＢｓは同じ有効性の指示を共用することができ、例えば、図３を参照すると、ＳＩＢｘおよびＳＩＢｙの両方ともＳＩ  ｍｅｓｓａｇｅ１に属することができ、ＳＩＢｚは、ＳＩ  ｍｅｓｓａｇｅ  ２に属し、そうすると、ＳＩＢｘおよびＳＩＢｙは、同じ有効性の指示１を配置し、残りのＳＩＢｚは有効性の指示２を割り当てるようにすることができる。
【００５２】
もちろん、一部の共用は、システム情報の関連性など、他の基準を採用することができ、一例として、図４に示されたように、ＳＩＢｘおよびＳＩＢｚが、同じサービスに対して同様にすべて必要としたり、または同じ機能に対して関連性を持つ場合、図に示されたような有効性の指示１など、共用の有効性の指示を使用することができ、ＳＩＢｙは有効性の指示２を使用することができる。例えば、ＭＢＭＳに関連する異なるシステム情報ブロック、Ｄ２Ｄ  ｄｉｓｃｏｖｅｒｙおよびＤ２Ｄ  ｃｏｍｍｕｎｉｃａｔｉｏｎに関連するシステム情報ブロックは、すべて同じ有効性の指示を共用することができる。もちろん、共用有効性の指示の結果として、その中のいずれか１つのＳＩＢの変更がすべて有効性の指示の変更を引き起こすことである。
【００５３】
前述の方案を採用することにより、少なくとも１つのシステム情報ブロックに対する有効性の指示を構成することができ、それにより、システムが、１つの有効性の指示が複数のシステム情報ブロックを指示することができるシナリオをサポートすることができるようにして、さらに、オンデマンドでＳＩＢを取得する柔軟なシステムメカニズムに適応することができる。
【００５４】
実施例３
本発明の実施例は、図６に示されたように、
少なくとも１つのＳＩＢに対する有効性の指示を構成するための第１の処理ユニット６１と、
再取得する必要のあるＳＩＢに対応する有効性の指示を端末装置に送信するための通信ユニット６２とを含むネットワーク装置を提供する。
【００５５】
ここで、本実施例における前記ネットワーク装置は、ネットワーク側の基地局、例えば、ｅＮＢまたはｇＮＢであり得、前述のステップを採用することにより、基地局は、１つの有効指示による１つのまたは複数のシステム情報ブロックを構成し得、それにより、端末が、対応する有効性の指示の変化を検出して、１つのシステム情報ブロックを再取得する必要があるかどうかを決定することができる。ここで、これらのシステム情報ブロックは、同じまたは異なるシステム情報メッセージに位置することができる。
【００５６】
前記第１の処理ユニット６１は、１つのまたは複数のシステム情報ブロックに対してすべて１つの有効性の指示を構成し、言い換えれば、同じ有効性の指示が少なくとも１つのＳＩＢに対応することができる。合計８つのＳＩＢがあると仮定すると、各ＳＩＢに１つの有効性の指示情報をすべて設定されたり、またはその中の７つまたはその以下のＳＩＢに１つの有効性の指示をすべて設定することができ、そして、その中の一部のＳＩＢは、同じ有効性の指示を使用することができる。
【００５７】
さらに、このような有効性の指示の具体的な実施形態は、１〜１６または１〜３２などの有限的な正の整数のセットであることができる。
【００５８】
この値が変更されたことを有効性が指示する場合、システム情報ブロックが無効になり、端末が再取得する必要があることを意味する。言い換えれば、あるＳＩＢがもはや有効でない場合、ネットワーク側では、システムメッセージで有効性の指示を送信することにより、端末装置が対応するＳＩＢを再取得する必要があるかどうかを知ることができる。
【００５９】
本実施例は、すべてのＳＩＢに対して構成する有効性の指示を端末装置に送信することをさらに含むことが理解され得る。端末装置とネットワーク側が同じＳＩＢに対応する有効性の指示を維持するようにしたため、有効性の指示を読み取ることにより、対応するＳＩＢが失効したかどうかを知ることができる。
【００６０】
本実施例における有効性の指示の配置位置については、以下の通りである。再取得されたＳＩＢに対応する有効性の指示をＭＳＩに集中的または分散的に配置して、端末装置に送信することにより、対応するＳＩＢを再取得することを端末装置に指示する。
【００６１】
即ち、複数のシステム情報の有効性の指示を集中的にＭＳＩに配置することができる（ＭＳＩは、ＭＩＢおよび残りのＭＳＩを含む（ＲＭＳＩ））。
【００６２】
具体的には、再取得されたＳＩＢに対応する有効性の指示を前記ＭＳＩ中のＳＩＢ１に集中的に配置する。例えば、ＲＭＳＩは、ＳＩＢ１またはＳＩＢ２を含むことができるが、有効性の指示は、ＳＩＢ１にある可能性がある。もちろん、異なるシステム情報ブロックに分散的に配置することもできるが、優先的には、複数のシステム情報ブロックの有効性の指示を集中的にＳＩＢ１に配置することができ、このようにして、ＵＥがＭＳＩを取得することにより、あるＳＩＢの値を再取得する必要があるかどうかを知ることができる。
【００６３】
さらに、少なくとも１つのＳＩＢに対する有効性の指示を構成することは、次のいくつかの対応する方法も含まれる。
【００６４】
対応する方法１：ＳＩＢ１を除く少なくとも１つの他のＳＩＢ中の各ＳＩＢに対応する有効性の指示をそれぞれ構成する。
【００６５】
言い換えれば、単一のＯｔｈｅｒ  ＳＩにおけるＳＩＢに対してそのｓｙｓｔｅｍ  ｖａｌｕｅ  ｔａｇ値を個別に定義する。この方法は最も柔軟であるが、ＲＭＳＩ／ＳＩＢ１を増加させることを一例として説明すると、Ｓｙｓｔｅｍ  Ｖａｌｕｅ  Ｔａｇ値は５ビットを占有する必要があり、そうなると、８つのＯｔｈｅｒ  ＳＩは４０ビットを占有する必要がある。もちろん、ＮＲシステムの容量は、ＬＴＥシステムより大きいため、ＳＩＢ１では４０ビットが許容されるかも知れない。ただし、Ｏｔｈｅｒ  ＳＩ  ＳＩＢがもっと多ければ、より多いビットを占有する可能性がある。したがって、他のこのような方案を考慮する必要がある。図２を参照すると、図には、１つの有効性の指示が１つのＳＩＢに対応するシナリオが示される。
【００６６】
対応する方法２：前記ＳＩＢ１を除く少なくとも１つの他のＳＩＢから少なくとも一部のＳＩＢを選択し、前記少なくとも一部のＳＩＢのために、同じ有効性の指示を構成する。
【００６７】
ここで、前記ＳＩＢ１を除く少なくとも１つの他のＳＩＢから少なくとも一部のＳＩＢを選択することは、
前記ＳＩＢ１を除く少なくとも１つの他のＳＩＢから同じシステムメッセージに配置される少なくとも一部のＳＩＢを選択することを含む。
【００６８】
または、前記ＳＩＢ１を除く少なくとも１つの他のＳＩＢから、同じ機能および／または同じサービスタイプを有する少なくとも一部のＳＩＢを選択することであり得る。
【００６９】
有効性の指示の一部は共用である。単一のＳＩＢを使用することにより、独立した有効性の指示がＳＩＢ１の容量を大幅に増加させると考えられる場合、柔軟な部分を採用して共用とすることができ、一部の共用は、複数のＳＩＢが１つのＳＩ  ｍｅｓｓａｇｅに配置されるかどうかに基づくことができ、即ち、同じＳＩ  ｍｅｓｓａｇｅに属するＳＩＢｓは同じ有効性の指示を共用することができ、例えば、図３を参照すると、ＳＩＢｘおよびＳＩＢｙの両方ともＳＩ  ｍｅｓｓａｇｅ１に属することができ、ＳＩＢｚは、ＳＩ  ｍｅｓｓａｇｅ  ２に属し、そうすると、ＳＩＢｘおよびＳＩＢｙは、同じ有効性の指示１を配置し、残りのＳＩＢｚは有効性の指示２を割り当てるようにすることができる。
【００７０】
もちろん、一部の共用は、システム情報の関連性など、他の基準を採用することができ、一例として、図４に示されたように、ＳＩＢｘおよびＳＩＢｚが、同じサービスに対して同様にすべて必要としたり、または同じ機能に対して関連性を持つ場合、図に示されたような有効性の指示１など、共用の有効性の指示を使用することができ、ＳＩＢｙは有効性の指示２を使用することができる。例えば、ＭＢＭＳに関連する異なるシステム情報ブロック、Ｄ２Ｄ  ｄｉｓｃｏｖｅｒｙおよびＤ２Ｄ  ｃｏｍｍｕｎｉｃａｔｉｏｎに関連するシステム情報ブロックは、すべて同じ有効性の指示を共用することができる。もちろん、共用有効性の指示の結果として、その中のいずれか１つのＳＩＢの変更がすべて有効性の指示の変更を引き起こすことである。
【００７１】
前述の方案を採用することにより、少なくとも１つのシステム情報ブロックに対する有効性の指示を構成することができ、それにより、システムが、１つの有効性の指示が複数のシステム情報ブロックを指示することができるシナリオをサポートすることができるようにして、さらに、オンデマンドでＳＩＢを取得する柔軟なシステムメカニズムに適応することができる。
【００７２】
実施例４
本発明の実施例は、図７に示されたように、
ネットワーク側によって送信される再取得する必要のあるＳＩＢに対する有効性の指示を検出するための検出ユニット７１であって、前記有効性の指示は、少なくとも１つのＳＩＢに対するものである、検出ユニット７１と、
前記有効性の指示に基づいて、対応するＳＩＢを再取得するための第２の処理ユニット７２とを含む、端末装置を提供する。
【００７３】
ここで、本実施例における前記ネットワーク装置は、ネットワーク側の基地局、例えば、ｅＮＢまたはｇＮＢであり得、前述のステップを採用することにより、基地局は、１つの有効指示による１つのまたは複数のシステム情報ブロックを構成し得、それにより、端末が、対応する有効性の指示の変化を検出して、１つのシステム情報ブロックを再取得する必要があるかどうかを決定することができる。ここで、これらのシステム情報ブロックは、同じまたは異なるシステム情報メッセージに位置することができる。
【００７４】
前記少なくとも１つのシステム情報ブロックに対する有効性の指示を構成することは、具体的には、１つのまたは複数のシステム情報ブロックに対してすべて１つの有効性の指示を構成することであってもよく、言い換えれば、同じ有効性の指示が少なくとも１つのＳＩＢに対応することができる。合計８つのＳＩＢがあると仮定すると、各ＳＩＢに１つの有効性の指示情報をすべて設定されたり、またはその中の７つまたはその以下のＳＩＢに１つの有効性の指示をすべて設定することができ、そして、その中の一部のＳＩＢは、同じ有効性の指示を使用することができる。
【００７５】
さらに、このような有効性の指示の具体的な実施形態は、１〜１６または１〜３２などの有限的な正の整数のセットであることができる。
【００７６】
この値が変更されたことを有効性が指示する場合、システム情報ブロックが無効になり、端末が再取得する必要があることを意味する。言い換えれば、あるＳＩＢがもはや有効でない場合、ネットワーク側では、システムメッセージで有効性の指示を送信することにより、端末装置が対応するＳＩＢを再取得する必要があるかどうかを知ることができる。
【００７７】
本実施例は、すべてのＳＩＢに対して構成する有効性の指示を端末装置に送信することをさらに含むことが理解され得る。対応的に、端末装置は、ネットワーク側から送信されたすべてのＳＩＢに対して構成する、対応する有効性の指示を取得する。だから、端末装置とネットワーク側が同じＳＩＢに対応する有効性の指示を維持するようにしたため、有効性の指示を読み取ることにより、対応するＳＩＢが失効したかどうかを知ることができる。
【００７８】
本実施例における有効性の指示の配置位置については、以下の通りである。再取得されたＳＩＢに対応する有効性の指示をＭＳＩに集中的または分散的に配置して、端末装置に送信することにより、対応するＳＩＢを再取得することを端末装置に指示する。対応的に、端末装置は、ＭＳＩから、再取得する必要のあるＳＩＢに対する有効性の指示を検出する。
【００７９】
即ち、複数のシステム情報の有効性の指示を集中的にＭＳＩに配置することができる（ＭＳＩは、ＭＩＢおよび残りのＭＳＩを含む（ＲＭＳＩ））。
【００８０】
具体的には、再取得されたＳＩＢに対応する有効性の指示を前記ＭＳＩ中のＳＩＢ１に集中的に配置する。例えば、ＲＭＳＩは、ＳＩＢ１またはＳＩＢ２を含むことができるが、有効性の指示は、ＳＩＢ１にある可能性がある。もちろん、異なるシステム情報ブロックに分散的に配置することもできるが、優先的には、複数のシステム情報ブロックの有効性の指示を集中的にＳＩＢ１に配置することができ、このようにして、ＵＥがＭＳＩを取得することにより、あるＳＩＢの値を再取得する必要があるかどうかを知ることができる。
【００８１】
さらに、少なくとも１つのＳＩＢに対する有効性の指示を構成することは、次のいくつかの対応する方法も含まれる。
【００８２】
対応する方法１：ＳＩＢ１を除く少なくとも１つの他のＳＩＢ中の各ＳＩＢに対応する有効性の指示をそれぞれ構成する。
【００８３】
言い換えれば、単一のＯｔｈｅｒ  ＳＩにおけるＳＩＢに対してそのｓｙｓｔｅｍ  ｖａｌｕｅ  ｔａｇ値を個別に定義する。この方法は最も柔軟であるが、ＲＭＳＩ／ＳＩＢ１を増加させることを一例として説明すると、Ｓｙｓｔｅｍ  Ｖａｌｕｅ  Ｔａｇ値は５ビットを占有する必要があり、そうなると、８つのＯｔｈｅｒ  ＳＩは４０ビットを占有する必要がある。もちろん、ＮＲシステムの容量は、ＬＴＥシステムより大きいため、ＳＩＢ１では４０ビットが許容されるかも知れない。ただし、Ｏｔｈｅｒ  ＳＩ  ＳＩＢがもっと多ければ、より多いビットを占有する可能性がある。したがって、他のこのような方案を考慮する必要がある。図２を参照すると、図には、１つの有効性の指示が１つのＳＩＢに対応するシナリオが示される。
【００８４】
対応する方法２：前記ＳＩＢ１を除く少なくとも１つの他のＳＩＢから少なくとも一部のＳＩＢを選択し、前記少なくとも一部のＳＩＢのために、同じ有効性の指示を構成する。
【００８５】
ここで、前記ＳＩＢ１を除く少なくとも１つの他のＳＩＢから少なくとも一部のＳＩＢを選択することは、
前記ＳＩＢ１を除く少なくとも１つの他のＳＩＢから同じシステムメッセージに配置される少なくとも一部のＳＩＢを選択することを含む。
【００８６】
または、前記ＳＩＢ１を除く少なくとも１つの他のＳＩＢから、同じ機能および／または同じサービスタイプを有する少なくとも一部のＳＩＢを選択することであり得る。
【００８７】
有効性の指示の一部は共用である。単一のＳＩＢを使用することにより、独立した有効性の指示がＳＩＢ１の容量を大幅に増加させると考えられる場合、柔軟な部分を採用して共用とすることができ、一部の共用は、複数のＳＩＢが１つのＳＩ  ｍｅｓｓａｇｅに配置されるかどうかに基づくことができ、即ち、同じＳＩ  ｍｅｓｓａｇｅに属するＳＩＢｓは同じ有効性の指示を共用することができ、例えば、図３を参照すると、ＳＩＢｘおよびＳＩＢｙの両方ともＳＩ  ｍｅｓｓａｇｅ１に属することができ、ＳＩＢｚは、ＳＩ  ｍｅｓｓａｇｅ  ２に属し、そうすると、ＳＩＢｘおよびＳＩＢｙは、同じ有効性の指示１を配置し、残りのＳＩＢｚは有効性の指示２を割り当てるようにすることができる。
【００８８】
もちろん、一部の共用は、システム情報の関連性など、他の基準を採用することができ、一例として、図４に示されたように、ＳＩＢｘおよびＳＩＢｚが、同じサービスに対して同様にすべて必要としたり、または同じ機能に対して関連性を持つ場合、図に示されたような有効性の指示１など、共用の有効性の指示を使用することができ、ＳＩＢｙは有効性の指示２を使用することができる。例えば、ＭＢＭＳに関連する異なるシステム情報ブロック、Ｄ２Ｄ  ｄｉｓｃｏｖｅｒｙおよびＤ２Ｄ  ｃｏｍｍｕｎｉｃａｔｉｏｎに関連するシステム情報ブロックは、すべて同じ有効性の指示を共用することができる。もちろん、共用有効性の指示の結果として、その中のいずれか１つのＳＩＢの変更がすべて有効性の指示の変更を引き起こすことである。
【００８９】
前述の方案を採用することにより、少なくとも１つのシステム情報ブロックに対する有効性の指示を構成することができ、それにより、システムが、１つの有効性の指示が複数のシステム情報ブロックを指示することができるシナリオをサポートすることができるようにして、さらに、オンデマンドでＳＩＢを取得する柔軟なシステムメカニズムに適応することができる。
【００９０】
本発明の実施例は、図８に示されたように、少なくとも１つのプロセッサ８１と、メモリ８２と、少なくとも１つのネットワークインターフェース８３とを含む、ネットワーク装置または端末装置ハードウェアの構成アーキテクチャをさらに提供する。各コンポーネントは、バスシステム８４を介して結合される。理解され得るように、バスシステム８４は、これらのコンポーネント間の接続通信を具現するために使用される。データバスに加えて、バスシステム８４は、電力バス、制御バスおよびステータス信号バスを含む。しかしながら、説明を明確にするために、図８では様々なバスをバスシステム８４として表記されている。
【００９１】
本発明の実施例におけるメモリ８２は、揮発性メモリまたは非揮発性メモリであってもよく、または揮発性および非揮発性メモリの両方を含んでもよいことを理解されたい。
【００９２】
いくつかの対応する方法で、メモリ８２は、操作システム８２１およびアプリケーションプログラム８２２の要素、実行可能なモジュールまたはデータ構造、またはそのサブセット、またはそれらの拡張セットを記憶する。
【００９３】
ここで、前記プロセッサ８１は、前述の実施例１または２の方法のステップを処理することができるように構成され、ここでは再び説明しない。
【００９４】
本発明の実施例によって提供されるコンピュータ記憶媒体は、実行可能な命令が記憶され、前記コンピュータ実行可能な命令が実行されるときに、前述の実施例１または２の方法のステップを実施する。
【００９５】
本発明の実施例の前記装置がソフトウェア機能モジュールの形態で実装され、スタンドアロン製品として販売または使用される場合、コンピュータ読み取り可能な記憶媒体に格納されることができる。このような理解に基づいて、本発明の実施例の技術的解決策は、本質で先行技術に対して貢献のある部分は、ソフトウェア製品の形で具現されることができ、当該コンピュータソフトウェア製品は、１つの記憶媒体に記憶されて、一台のコンピュータ装置（パーソナルコンピュータ、サーバ、またはネットワーク装置等などであリ得る）が本発明の各実施例の前記方法の全部または一部を実行させるために、いくつかの命令を含む。上記した記憶媒体は、Ｕディスク、モバイルハードディスク、読み取り専用メモリ（ＲＯＭ、Ｒｅａｄ  Ｏｎｌｙ  Ｍｅｍｏｒｙ）、磁気ディスクまたは光ディスクなどのプログラムコードを記憶することができる様々なメディアを含む。こうして、本発明の実施例は、いずれかのハードウェアおよびソフトウェアの特定の組み合わせに限定されない。
【００９６】
対応的に、本発明の実施例は、本発明の実施例のデータスケジューリング方法を実行するように構成される、コンピュータプログラムが記憶されるコンピュータ記憶媒体をさらに提供する。
【００９７】
本発明の好ましい実施例を例示の目的で開示したが、当業者は、様々な修正、追加、および置換が可能であり、本発明の範囲は上記した実施例に限定されるべきではないことを認識するであろう。
【図１】
2021500759.tif 000003
【図２】
2021500759.tif 000004
【図３】
2021500759.tif 000005
【図４】
2021500759.tif 000006
【図５】
2021500759.tif 000007
【図６】
2021500759.tif 000008
【図７】
2021500759.tif 000009
【図８】
2021500759.tif 000010
【手続補正書】
【提出日】令和2年8月27日(2020.8.27)
【手続補正１】
【補正対象書類名】特許請求の範囲
【補正対象項目名】全文
【補正方法】変更
【補正の内容】
【特許請求の範囲】
【請求項１】
ネットワーク装置に適用されるシステム情報の有効性の指示方法であって、
少なくとも１つのシステム情報ブロック（ＳＩＢ）に対する有効性の指示を構成することと、
再取得する必要のあるＳＩＢに対応する有効性の指示を端末装置に送信することとを含む、前記システム情報の有効性の指示方法。
【請求項２】
１つの有効性の指示が一つのＳＩＢ又は複数のＳＩＢに対応する
請求項１に記載のシステム情報の有効性の指示方法。
【請求項３】
前記再取得する必要のあるＳＩＢに対応する有効性の指示を端末装置に送信することは、
再取得されたＳＩＢに対応する有効性の指示を最小システム情報（ＭＳＩ）に集中的または分散的またはブロードキャスト方式に配置して、端末装置に送信することをさらに含む、
請求項１又は２に記載のシステム情報の有効性の指示方法。
【請求項４】
前記システム情報の有効性の指示方法は、
再取得されたＳＩＢに対応する有効性の指示を前記ＭＳＩ中のＳＩＢ１に集中的配置することをさらに含む、
請求項３に記載のシステム情報の有効性の指示方法。
【請求項５】
前記少なくとも１つのＳＩＢに対する有効性の指示を構成することは、
ＳＩＢ１を除く少なくとも１つの他のＳＩＢ中の各ＳＩＢに対応する１つの有効性の指示をそれぞれ構成することをさらに含む、
請求項１ないし４のいずれか一項に記載のシステム情報の有効性の指示方法。
【請求項６】
前記少なくとも１つのＳＩＢに対する有効性の指示を構成することは、
前記ＳＩＢ１を除く少なくとも１つの他のＳＩＢから少なくとも一部のＳＩＢを選択することと、
前記少なくとも一部のＳＩＢのために、同じ有効性の指示を構成することとをさらに含む
請求項１ないし４のいずれか一項に記載のシステム情報の有効性の指示方法。
【請求項７】
前記ＳＩＢ１を除く少なくとも１つの他のＳＩＢから少なくとも一部のＳＩＢを選択することは、
前記ＳＩＢ１を除く少なくとも１つの他のＳＩＢから同じシステムメッセージに配置される少なくとも一部のＳＩＢを選択すること、
または、
前記ＳＩＢ１を除く少なくとも１つの他のＳＩＢから、同じ機能および／または同じサービスタイプを有する少なくとも一部のＳＩＢを選択することを含む、
請求項６に記載のシステム情報の有効性の指示方法。
【請求項８】
前記システム情報の有効性の指示方法は、
すべてのＳＩＢに対して構成する有効性の指示を端末装置に送信することをさらに含む、
請求項１に記載のシステム情報の有効性の指示方法。
【請求項９】
端末装置に適用されるシステム情報の有効性の指示方法であって、
ネットワーク側によって送信される再取得する必要のあるＳＩＢに対する有効性の指示を検出することであって、前記有効性の指示は、少なくとも１つのＳＩＢに対するものであることと、
前記有効性の指示に基づいて、対応するＳＩＢを再取得することとを含む、前記システム情報の有効性の指示方法。
【請求項１０】
前記システム情報の有効性の指示方法は、
ネットワーク側から送信されたすべてのＳＩＢに対して構成する、対応する有効性の指示を取得すること、または、
ＭＳＩから、再取得する必要のあるＳＩＢに対する有効性の指示を検出することをさらに含む、
請求項９に記載のシステム情報の有効性の指示方法。
【請求項１１】
ネットワーク装置であって、
少なくとも１つのＳＩＢに対する有効性の指示を構成するための第１の処理ユニットと、
再取得する必要のあるＳＩＢに対応する有効性の指示を端末装置に送信するための通信ユニットとを含む、前記ネットワーク装置。
【請求項１２】
前記第１の処理ユニットは、再取得されたＳＩＢに対応する有効性の指示をＭＳＩに集中的または分散的またはブロードキャスト方式に配置するためである、
請求項１１に記載のネットワーク装置。
【請求項１３】
前記第１の処理ユニットは、ＳＩＢ１を除く少なくとも１つの他のＳＩＢ中の各ＳＩＢに対応する１つの有効性の指示をそれぞれ構成するためであり、
または、
前記第１の処理ユニットは、前記ＳＩＢ１を除く少なくとも１つの他のＳＩＢから少なくとも一部のＳＩＢを選択し、前記少なくとも一部のＳＩＢのために、同じ有効性の指示を構成するためである、
請求項１１または１２に記載のネットワーク装置。
【請求項１４】
前記第１の処理ユニットは、前記ＳＩＢ１を除く少なくとも１つの他のＳＩＢから同じシステムメッセージに配置される少なくとも一部のＳＩＢを選択するためであり、または、前記ＳＩＢ１を除く少なくとも１つの他のＳＩＢから、同じ機能および／または同じサービスタイプを有する少なくとも一部のＳＩＢを選択するためである、
請求項１３に記載のネットワーク装置。
【請求項１５】
端末装置であって、
請求項９または１０に記載のシステム情報の有効性の指示方法のステップを実行するように構成されるプロセッサを備える、前記端末装置。
【国際調査報告】
2021500759.tif 000011
2021500759.tif 000012
2021500759.tif 000013
2021500759.tif 000014